(57)【特許請求の範囲】
【請求項１】
犬の尻部に装着される装着具と、前記装着具で保持される糞回収用の回収袋とを備える犬用排泄物回収具であって、
前記装着具は、
一端に、犬の肛門の周囲に当接する当接部を有し、他端に、巻回された前記回収袋を保持する保持部を有する筒状部材と、
前記筒状部材の側壁外方に固定された、犬装着用具への取付部材と
を備え、
前記回収袋は、底部から巻回して形成された巻回部分が前記筒状部材の前記保持部で保持されるとともに、前記回収袋の開口部が前記筒状部材の一端から導出され、開口した状態で前記当接部と犬の尻部との間に配置されることを特徴とする犬用排泄物回収具。
【請求項２】
請求項１に記載の犬用排泄物回収具であって、前記筒状部材の保持部に、前記回収袋の巻回部分を保持するための凹欠部が形成されていることを特徴とする犬用排泄物回収具。
【請求項３】
請求項１に記載の犬用排泄物回収具であって、前記装着具は、さらに、前記筒状部材の他端近傍に枢支され、犬の歩行時には、前記筒状部材の他端を自重で封鎖し、犬が用便姿勢を取るときには、前記他端の封鎖を自重で解除する蓋体を備えることを特徴とする犬用排泄物回収具。
【請求項４】
請求項３に記載の犬用排泄物回収具であって、前記蓋体が「く」字状の断面形状を有し、前記筒状部材の他端の端縁が、前記蓋体の断面形状に対応する形状を有していることを特徴とする犬用排泄物回収具。
【請求項５】
請求項３または４に記載の犬用排泄物回収具であって、前記蓋体が、前記筒状部材の他端を封鎖している状態で、前記筒状部材の凹欠部で保持された前記回収袋の巻回部分の端面を覆う側壁を有していることを特徴とする犬用排泄物回収具。
【請求項６】
請求項１に記載の犬用排泄物回収具であって、前記筒状部材及び取付部材が弾性材料により一体成形されていることを特徴とする犬用排泄物回収具。
【請求項７】
請求項１に記載の犬用排泄物回収具であって、前記回収袋が、合成樹脂製の外側の袋と、紙製の内側の袋とを有していることを特徴とする犬用排泄物回収具。
【発明の詳細な説明】
【技術分野】
【０００１】
本発明は、散歩中の犬の糞を回収する犬用排泄物回収具に関し、この器具を犬に装着して、糞を直接回収できるようにしたものである。
【背景技術】
【０００２】
従来、犬を連れた飼主は、スコップやビニール袋等を持参して糞を始末している。こうした飼主の負担を軽くするため、これまで、種々の糞回収具が考えられている。
例えば、下記特許文献１には、蛇腹状に畳み込んだ袋を犬の尻部に当てがい、糞が排泄されると、その重みで袋が拡がるように構成された回収装置が開示されている。
また、下記特許文献２には、犬の肛門の周囲にリング状のホルダを当てがい、このホルダに袋体及びカバーを装着する犬用排泄物回収具が開示されている。この袋体は、ホルダに装着するための円形鍔を有し、また、カバーは、袋体を中にして両側の片を畳み込むように構成されている。袋体は、カバーで隠された状態でホルダに装着され、犬が糞をすると、糞の重さで袋体が延び、カバーが開く。
【特許文献１】特開２００２−１４２５９４号公報
【特許文献２】特開２００５−４６１０７号公報
【発明の開示】
【発明が解決しようとする課題】
【０００３】
しかし、従来の犬用排泄物回収具は、糞を収容する回収袋の形状や、回収袋をホルダ等に装着するための構造が複雑であり、使い捨ての回収袋のコストが高くなると言う課題がある。
また、犬の飼主の立場からすれば、器具のおしゃれ感や清潔感が重要であり、糞の回収効率がいくら高くても、連れている犬の可愛さを損なうような、奇異な感じを抱かせる器具は利用したくない。
また、回収袋のセットや糞の回収に手間が掛からない器具が、飼主には好ましい。
【０００４】
本発明は、こうした事情を考慮して創案したものであり、回収袋のセットや回収が簡単であって、コストが掛からず、また、器具の全体形状がコンパクトで、装着した犬の可愛さを損なわない犬用排泄物回収具を提供することを目的としている。
【課題を解決するための手段】
【０００５】
本発明は、犬の尻部に装着される装着具と、前記装着具で保持される糞回収用の回収袋とを備える犬用排泄物回収具であって、前記装着具は、一端に、犬の肛門の周囲に当接する当接部を有し、他端に、巻回された前記回収袋を保持する保持部を有する筒状部材と、  前記筒状部材の側壁外方に固定された、犬装着用具への取付部材とを備え、前記回収袋は、底部から巻回して形成された巻回部分が前記筒状部材の前記保持部で保持されるとともに、前記回収袋の開口部が前記筒状部材の一端から導出され、開口した状態で前記当接部と犬の尻部との間に配置されることを特徴としている。
この回収具を犬に装着する時は、回収袋の巻回部分を装着具の保持部に装着し、回収袋の開口縁を、装着具の当接部を覆うように拡げて、装着具に回収袋をセットする。次いで、ベルト等の犬装着用具を身に着けた犬の肛門の周囲に当接部を押し当て、その状態で装着具の取付部材を犬装着用具に固定する。犬が、背中を大きく丸めて尻部を低く落とす“用便姿勢”を取るとき、回収具の位置は、犬の肛門の下側になり、この姿勢で排泄された糞は、回収袋の開口縁から回収袋の中に入る。このとき、糞の排泄圧力及び自重により、筒状部材の保持部で保持されていた回収袋の巻回部分は、保持部から外れると同時に巻回が解けて垂れ下がる。そのため、糞は回収袋の底にまで達し、同時に、回収袋が筒状部材から露出する。犬の排泄が終了すると、飼主は、筒状部材近くの回収袋の部分を掴んで引っ張り、開口部を当接部から外して回収袋を回収する。
【０００６】
また、本発明の犬用排泄物回収具では、前記筒状部材の保持部に、前記回収袋の巻回部分を保持するための凹欠部を形成するようにしても良い。
この凹欠部に回収袋の巻回部分を嵌めることにより、回収袋が保持される。
【０００７】
また、本発明の犬用排泄物回収具では、前記装着具が、さらに、前記筒状部材の他端近傍に枢支され、犬の歩行時には、前記筒状部材の他端を自重で封鎖し、犬が用便姿勢を取るときには、前記他端の封鎖を自重で解除する蓋体を備えるようにしても良い。
蓋体は、犬が歩行しているとき、回収袋や犬の肛門を隠してくれるため、犬を見た人に不潔感や奇異な感じを与えず、むしろ、犬の可愛らしさが増す。
【０００８】
また、本発明の犬用排泄物回収具では、前記蓋体が「く」字状の断面形状を有し、前記筒状部材の他端の端縁が、前記蓋体の断面形状に対応する形状を有していることが好ましい。
蓋体の断面を「く」字状に形成することで、蓋体の重心位置の調整が可能になり、蓋体が、犬の歩行時には、その自重によって筒状部材の端部を安定的に塞ぎ、用便姿勢時には、その自重によって筒状部材の端部を開放するように設定することができる。
【０００９】
また、本発明の犬用排泄物回収具では、前記蓋体が、前記筒状部材の他端を封鎖している状態で、前記筒状部材の凹欠部で保持された前記回収袋の巻回部分の端面を覆う側壁を有していることが好ましい。
この蓋体は、犬が歩行しているとき、回収袋を全て隠してくれるため、お洒落な感じが増す。
【００１０】
また、本発明の犬用排泄物回収具では、前記筒状部材及び取付部材を弾性材料で一体成形しても良い。
装着具の骨格部分を一体成形することで、この回収具の製造を効率化できる。
【００１１】
また、本発明の犬用排泄物回収具では、前記回収袋が、合成樹脂製の外側の袋と、紙製の内側の袋とを有するように構成しても良い。
このような回収袋の二重化で、犬の尻部には、紙の部分が当接する。そのため、回収袋を装着具から引き抜くとき、犬の肛門の周りが紙で拭かれて綺麗になる。
【発明の効果】
【００１２】
本発明の犬用排泄物回収具は、一般的な長方形のポリ袋などを回収袋に用いることができ、回収袋の装着具へのセットや回収が簡単であり、製造コストも低く抑えることができる。
また、この回収具は、コンパクトな形態で犬に装着することができるため、犬を見た人に違和感や不潔感を感じさせず、むしろ、犬の可愛さが強調される。
【発明を実施するための最良の形態】
【００１３】
本発明の犬用排泄物回収具の実施形態について、図面を用いて説明する。
図１は、この回収具の斜視図、図２は側面図、図３は平面図であり、図３（ａ）は蓋体を閉じた状態、図３（ｂ）は蓋体を開いた状態の各平面図である。また、図４は、回収袋を除いた装着具の斜視図、図５は、その側面図、図６（ａ）は、蓋体を閉じた状態の装着具を図５のＡ方向から見たときの平面図、図６（ｂ）は、図５のＢ方向から見たときの平面図、また、図７は、蓋体を開いた状態の装着具を図５のＡ方向から見たときの平面図である。
【００１４】
この犬用排泄物回収具は、犬の尻部に装着される装着具１０と、糞回収用の回収袋２０とから成る。
装着具１０は、図４〜図７に示すように、小判形の糞の通過孔１１を有する筒状部材１２と、紐状の犬装着用具３０が取り付けられる取付部材１３と、断面形状が「く」字状の蓋体１４とを有しており、筒状部材１２の一端には、犬の肛門の周囲に当接する当接部１５が形成され、筒状部材１２の他端には、巻回された回収袋２０を保持する一対の凹欠部１６が形成され、また、この他端の縁に蓋体１４の回転軸１４１を軸支するヒンジ部１７が形成されている。
筒状部材１２及び取付部材１３は、軟質のウレタン樹脂やシリコン樹脂、ゴム等で一体成形されており、筒状部材１２の当接部１５は、犬の肛門の周囲にフィットする形状に成形され、また、蓋体１４が取り付けられる側の筒状部材１２の端部は、断面形状が「く」字状の蓋体１４にフィットする形状に成形されている。
取付部材１３は、面ファスナー等により犬装着用具３０に固定される。
【００１５】
断面が「く」字状に折れ曲がった蓋体１４は、図３に示すように、筒状部材１２の通過孔１１を塞ぐ大きさの小判形状を有し、その長軸方向の一端に回転軸１４１を有し、また、長軸方向の他端側に隆起部１４２を有している。この蓋体１４は、硬質または軟質の樹脂材料で一体成形されている。
蓋体１４の回転軸１４１は、蓋体１４が自由に回転できるように筒状部材１２のヒンジ部１７で軸支される。隆起部１４２は、蓋体１４が筒状部材１２の端部を塞いだときに筒状部材１２の内側に入り、蓋体１４と通過孔１１との“ずれ”を防止する。また、隆起部１４２は、蓋体１４の重心を調整する役割も果たしている。
【００１６】
断面形状が「く」字状の蓋体１４は、図８（ａ）に模式的に示すように、回転中心（１４１）と重心Ｇとを通る鉛直線（点線）の一方の側に「く」字の折曲点を有し、他方の側に蓋体１４の先端を有している。
そのため、図８（ｂ）に示すように、蓋体１４が筒状部材１２の端縁に当接し、蓋体１４の先端が回転中心の略真下に来るように位置規制を受けると、蓋体１４は、自重により、筒状部材１２に対して、矢印で示す復帰力を作用する。それ故、蓋体１４は、筒状部材１２が図８（ｂ）の状態から多少傾きを変えても、筒状部材１２の通過孔１１を安定的に封鎖することになる。
【００１７】
一方、犬は、糞を排泄するとき、図９に示すように、背中を大きく丸めて尻部を低く落とす“用便姿勢”を取る。このとき、犬に装着された装着具１０の筒状部材１２は、図８（ｃ）に示すように、図８（ｂ）の状態から大きく傾く。そのため、筒状部材１２の端縁の拘束が外れた蓋体１４は、自重により、図８（ａ）の状態を取り、それ故、筒状部材１２の通過孔１１は開放されることになる。
この蓋体１４の重心Ｇの位置は、隆起部１４２の位置や大きさを変えることでも調整が可能である。
【００１８】
回収袋２０は、図１０（ａ）に示すように、ビニールやポリエチレン等の樹脂材料で形成された外袋２１の内側に、ティッシュペーパー等の柔らかい紙で形成された内袋２２が配置されている。この回収袋２０は、図１０（ｂ）に示すように、底側を、筒状部材１２に形成された凹欠部１６の間の距離に略匹敵する幅Ｌに折り曲げて、図１０（ｃ）に示すように、底側から巻いて、巻回部分２３を形成する。
そして、図１、図２、図３に示すように、巻回部分２３を筒状部材１２の一対の凹欠部１６に挿し込み、また、回収袋２０の開口側は、筒状部材１２の通過孔１１を通した後、開口縁２４が当接部１５を覆うように拡げる。
こうして、この犬用排泄物回収具を装着する準備が整う。
【００１９】
犬への装着は、予め犬に犬装着用具３０を取付けた後、装着具１０の当接部１５を犬の肛門の周囲に当接させ、その状態で装着具１０の取付部材１３に犬装着用具３０を固定することにより行う。このとき、当接部１５は、回収袋２０を介して犬に当接し、回収袋２０の開口縁２４が、肛門の周囲に開いた状態を保つ。犬の肛門の周囲には、回収袋２０の内袋２２が直接接触する。
図１１は、犬に装着された状態の犬用排泄物回収具を示している。
この犬用排泄物回収具を装着した犬が散歩しているときは、蓋体１４と筒状部材１２とが図８（ｂ）の関係を保ち、筒状部材１２の通過孔１１は、蓋体１４によって塞がれている。
【００２０】
この犬が図９に示す用便姿勢を取ると、蓋体１４と筒状部材１２との関係が図８（ｃ）の状態となり、筒状部材１２の通過孔１１が開放される。また、回収袋２０の開口縁２４は肛門の下側で口を開けており、排泄された糞は、回収袋２０に落ち込む。
この糞の排泄圧力及び落下する糞の自重により、筒状部材１２の凹欠部１６で保持されていた回収袋２０の巻回部分２３は、凹欠部１６から外れて、糞の進入に伴って巻戻される。そのため、糞は、回収袋２０の底にまで達する。
巻戻された回収袋２０は、蓋体１４が外れている筒状部材１２の端部から露出する。
図１２は、装着具１０から露出した状態の回収袋２０を示している。
【００２１】
犬の排泄が終了すると、飼主は、露出した回収袋２０の装着具１０に近い部分を掴んで引っ張り、回収袋２０を装着具１０から回収する。
このとき、当接部１５で抑えられていた回収袋２０の開口縁２４は、引っ張られて当接部１５から外れ、筒状部材１２の通過孔１１を通って抜け出る。その過程で、犬の肛門の周囲に直接接触していた回収袋２０の紙製の内袋２２が肛門の周りを拭う。そのため、肛門の周りは綺麗になる。
飼主は、回収袋２０の回収後、必要に応じて、装着具１０を犬装着用具３０から外し、新しい回収袋２０を装着具１０にセットする。
【００２２】
このように、この犬用排泄物回収具は、一般的な長方形の回収袋を用いているため、使い捨ての回収袋に掛かるコストを低く抑えることができる。また、回収袋の装着具１０への取付けは、至って簡単であり、回収袋は装着具１０にコンパクトに収まる。そのため、回収袋をセットした犬用排泄物回収具の外形もコンパクトであり、犬に装着した場合に、目障りでは無く、むしろ、犬の可愛さを際立たせる。
また、回収袋の装着具１０からの回収も容易である。
また、蓋体は、回収袋や犬の肛門を隠すため、犬を見た人に清潔感や楽しさを感じさせる。
【００２３】
なお、ここでは、蓋体１４が筒状部材１２の通過孔１１だけを塞ぐ構成としたが、図１３（ａ）（ｂ）に示すように、蓋体１４に側壁１４３を設け、この側壁１４３により、筒状部材１２の凹欠部１６で保持された回収袋の巻回部分２３の端面を覆うようにしても良い。図１３（ａ）は蓋体１４が閉じた状態、図１３（ｂ）は蓋体１４が開いた状態を示している。この側壁１４３を持つ蓋体１４は、犬が歩行しているとき、回収袋を全て隠してくれるため、清潔感やお洒落な感じが増す。
また、回収袋２０は、必ずしも二重袋にする必要はないが、二重袋にした方が回収時の安定感が増す。
【００２４】
また、ここでは、蓋体の断面形状を「く」字状としたが、蓋体の断面形状が直線状であっても、筒状部材１２の端面形状を斜めに設定することで、歩行時に筒状部材の通過孔を塞ぎ、用便姿勢のときに、通過孔を開放させることができる。ただ、「く」字状の方が、用便姿勢のときの蓋体の開きを広くできる。
また、ここでは、装着具の筒状部材と取付部材とを一体成形したが、これらを別の部材で構成しても良い。ただ、一体成形の方が、装着具の製造が容易である。
また、ここでは、回収袋の巻回部分２３を筒状部材１２の凹欠部１６に嵌める場合を示したが、巻回部分を筒状部材１２の内側に当接させる等、他の手段によって回収袋の巻回部分を筒状部材の端部で保持するようにしても良い。
また、ここで示した形状や素材は、一例であって、本発明は、それだけに限定されるものではない。
【図面の簡単な説明】
【００２５】
【図１】本発明の実施形態における犬用排泄物回収具の斜視図
【図２】図１の犬用排泄物回収具の側面図
【図３】図１の犬用排泄物回収具の平面図
【図４】本発明の実施形態における犬用排泄物回収具の装着具の斜視図
【図５】図４の装着具の側面図
【図６】図４の装着具の平面図
【図７】図４の装着具の蓋体を開けた状態の平面図
【図８】図４の装着具の蓋体と筒状部材との関係を説明する図
【図９】犬の用便姿勢を示す図
【図１０】本発明の実施形態における犬用排泄物回収具の回収袋を示す図
【図１１】図１の犬用排泄物回収具の装着状態を示す図
【図１２】図４の装着具から回収袋が露出した状態を示す図
【図１３】本発明の実施形態における側壁を有する蓋体を備えた装着具の斜視図
【符号の説明】
【００２６】
１０    装着具
１１    通過孔
１２    筒状部材
１３    取付部材
１４    蓋体
１５    当接部
１６    凹欠部
１７    ヒンジ部
２０    回収袋
２１    外袋
２２    内袋
２３    巻回部分
３０    犬装着用具
１４１  回転軸
１４２  隆起部
１４３  側壁
【図２】
0004576404.tif 000002
【図３】
0004576404.tif 000003
【図５】
0004576404.tif 000004
【図６】
0004576404.tif 000005
【図７】
0004576404.tif 000006
【図８】
0004576404.tif 000007
【図９】
0004576404.tif 000008
【図１０】
0004576404.tif 000009
【図１３】
0004576404.tif 000010
【図１】
0004576404.tif 000011
【図４】
0004576404.tif 000012
【図１１】
0004576404.tif 000013
【図１２】
0004576404.tif 000014